【手続補正書】
【提出日】平成18年1月6日(2006.1.6)
【手続補正１】
【補正対象書類名】明細書
【補正対象項目名】発明の名称
【補正方法】変更
【補正の内容】
【発明の名称】インクジェット記録装置及び画像形成装置
【手続補正２】
【補正対象書類名】明細書
【補正対象項目名】特許請求の範囲
【補正方法】変更
【補正の内容】
【特許請求の範囲】
【請求項１】
搬送ベルトによって用紙を搬送し、記録ヘッドからインク滴を吐出させて前記用紙上に画像を印写するインクジェット記録装置において、前記搬送ベルトは導電性ベルトの表面側に絶縁体を点在させたことを特徴とするインクジェット記録装置。
【請求項２】
請求項１に記載のインクジェット記録装置において、前記搬送ベルトの導電性ベルトにバイアス電圧を印加することを特徴とするインクジェット記録装置。
【請求項３】
搬送ベルトによって用紙を搬送し、記録ヘッドからインク滴を吐出させて前記用紙上に画像を印写するインクジェット記録装置において、前記搬送ベルトは絶縁体ベルトの表面側に導電体を点在させたことを特徴とするインクジェット記録装置。
【請求項４】
請求項３に記載のインクジェット記録装置において、前記搬送ベルトの絶縁体ベルトにバイアス電圧を印加することを特徴とするインクジェット記録装置。
【請求項５】
請求項４に記載のインクジェット記録装置において、前記記録ヘッドに前記搬送ベルトを挟んで対向する印写受け部材を配置し、この印写受け部材にバイアス電圧を印加することを特徴とするインクジェット記録装置。
【請求項６】
搬送ベルトによって用紙を搬送し、記録ヘッドからインク滴を吐出させて前記用紙上に画像を印写するインクジェット記録装置において、前記搬送ベルトにバイアス電圧を印加し、かつ、用紙搬送方向下流側の電位を用紙搬送方向上流側より低くしたことを特徴とするインクジェット記録装置。
【請求項７】
請求項６に記載のインクジェット記録装置において、前記搬送ベルトを張装する上流側及び下流側の各ローラの内、上流側のローラにバイアス電圧を印加し、下流側のローラを接地したことを特徴とするインクジェット記録装置。
【請求項８】
搬送ベルトによって用紙を搬送し、記録ヘッドからインク滴を吐出させて前記用紙上に画像を印写するインクジェット記録装置において、前記搬送ベルトに用紙を押し付ける押し付け部材と、前記搬送ベルトの裏面側に配置した電極部材とを設け、前記押し付け部材と電極部材間にバイアス電圧を印加し、流れる電流が一定になるように定電流制御することを特徴とするインクジェット記録装置。
【請求項９】
請求項８に記載のインクジェット記録装置において、前記電極部材が前記搬送ベルトを張装する２つのローラの内の上流側のローラであることを特徴とするインクジェット記録装置。
【請求項１０】
請求項８又は９に記載のインクジェット記録装置において、用紙搬送方向下流側にフィードバック電極を設け、前記電極部材に印加した電流と前記フィードバック電極及び前記押し付け部材に流れる電流との差分が一定になるように差分定電流制御することを特徴とするインクジェット記録装置。
【請求項１１】
請求項１０に記載のインクジェット記録装置において、前記フィードバック電極が前記搬送ベルト裏面側に配置した印写受け部材であることを特徴とするインクジェット記録装置。
【請求項１２】
搬送ベルトによって用紙を搬送し、記録ヘッドからインク滴を吐出させて前記用紙上に画像を印写するインクジェット記録装置において、前記搬送ベルト裏面側に印写受け部材を配置し、この印写受け部材を接地したことを特徴とするインクジェット記録装置。
【請求項１３】
請求項６乃至１２のいずれかに記載のインクジェット記録装置において、前記搬送ベルトが体積抵抗１０8〜１０11Ωの中抵抗部材からなることを特徴とするインクジェット記録装置。
【請求項１４】
搬送ベルトによって用紙を搬送し、記録ヘッドからインク滴を吐出させて前記用紙上に画像を印写するインクジェット記録装置において、前記搬送ベルトの平面起点部付近に、前記用紙を前記搬送ベルト側に押し付ける押さえ部材を設けたことを特徴とするインクジェット記録装置。
【請求項１５】
請求項１４に記載のインクジェット記録装置において、前記押さえ部材がローラであることを特徴とするインクジェット記録装置。
【請求項１６】
請求項１４又は１５に記載のインクジェット記録装置において、前記押さえ部材が前記搬送ベルトを帯電させる帯電手段を兼ねていることを特徴とするインクジェット記録装置。
【請求項１７】
請求項１４乃至１６のいずれかに記載のインクジェット記録装置において、前記搬送ベルトの平面起点部と前記記録ヘッドの用紙搬送方向最上流側ノズルとの間隔が１０ｍｍ以上あることを特徴とするインクジェット記録装置。
【請求項１８】
搬送ベルトによって用紙を搬送し、前記用紙上に画像を記録する画像形成装置において、前記搬送ベルトは導電性ベルトの表面側に絶縁体を点在させたことを特徴とする画像形成装置。
【請求項１９】
搬送ベルトによって用紙を搬送し、前記用紙上に画像を記録する画像形成装置において、前記搬送ベルトは絶縁体ベルトの表面側に導電体を点在させたことを特徴とする画像形成装置。
【請求項２０】
搬送ベルトによって用紙を搬送し、前記用紙上に画像を記録する画像形成装置において、前記搬送ベルトにバイアス電圧を印加し、かつ、用紙搬送方向下流側の電位を用紙搬送方向上流側より低くしたことを特徴とする画像形成装置。
【請求項２１】
搬送ベルトによって用紙を搬送し、前記用紙上に画像を記録する画像形成装置において、前記搬送ベルトに用紙を押し付ける押し付け部材と、前記搬送ベルトの裏面側に配置した電極部材とを設け、前記押し付け部材と電極部材間にバイアス電圧を印加し、流れる電流が一定になるように定電流制御することを特徴とする画像形成装置。
【請求項２２】
搬送ベルトによって用紙を搬送し、前記用紙上に画像を記録する画像形成装置において、前記搬送ベルト裏面側に印写受け部材を配置し、この印写受け部材を接地したことを特徴とする画像形成装置。
【請求項２３】
搬送ベルトによって用紙を搬送し、前記用紙上に画像を記録する画像形成装置において、前記搬送ベルトの平面起点部付近に、前記用紙を前記搬送ベルト側に押し付ける押さえ部材を設けたことを特徴とする画像形成装置。
【手続補正３】
【補正対象書類名】明細書
【補正対象項目名】０００１
【補正方法】変更
【補正の内容】
【０００１】
【産業上の利用分野】
本発明はインクジェット記録装置及び画像形成装置に関し、特に搬送ベルトを用いて用紙を搬送するインクジェット記録装置及び画像形成装置に関する。
【手続補正４】
【補正対象書類名】明細書
【補正対象項目名】０００７
【補正方法】変更
【補正の内容】
【０００７】
本発明は上記の点に鑑みてなされたものであり、用紙搬送の安定化を図ることを目的とする。より具体的には、請求項１乃至５、１８、１９に係る発明は簡単な構成で静電吸着して用紙を安定して搬送することを目的とする。請求項６乃至１３、２０ないし２２に係る発明では簡単な構成で静電吸着の吸着性を向上して用紙を安定して搬送することを目的とする。請求項１４乃至１７、２３に係る発明では用紙を搬送ベルトに確実に倣わせて用紙を安定して搬送することを目的とする。
【手続補正５】
【補正対象書類名】明細書
【補正対象項目名】０００８
【補正方法】変更
【補正の内容】
【０００８】
【課題を解決するための手段】
上記の課題を解決するため、本発明に係るインクジェット記録装置及び画像形成装置は、用紙を搬送する搬送ベルトは導電性ベルトの表面側に絶縁体を点在させた構成としたものである。ここで、搬送ベルトの導電性ベルトにバイアス電圧を印加することが好ましい。
【手続補正６】
【補正対象書類名】明細書
【補正対象項目名】０００９
【補正方法】変更
【補正の内容】
【０００９】
また、本発明に係るインクジェット記録装置及び画像形成装置は、用紙を搬送する搬送ベルトは絶縁体ベルトの表面側に導電体を点在させた構成としたものである。ここで、搬送ベルトの絶縁体ベルトにバイアス電圧を印加することが好ましい。この場合、記録ヘッドに搬送ベルトを挟んで対向する印写受け部材を配置し、この印写受け部材にバイアス電圧を印加する構成が好ましい。
【手続補正７】
【補正対象書類名】明細書
【補正対象項目名】００１０
【補正方法】変更
【補正の内容】
【００１０】
さらに、本発明に係るインクジェット記録装置及び画像形成装置は、用紙を搬送する搬送ベルトにバイアス電圧を印加し、かつ、用紙搬送方向下流側の電位を用紙搬送方向上流側より低くした構成としたものである。ここで、搬送ベルトを張装する上流側及び下流側の各ローラの内、上流側のローラにバイアス電圧を印加し、下流側のローラを接地することが好ましい。また、搬送ベルトとしては体積抵抗１０８〜１０11Ωの中抵抗部材からなるベルトを用いることが好ましい。
【手続補正８】
【補正対象書類名】明細書
【補正対象項目名】００１１
【補正方法】変更
【補正の内容】
【００１１】
さらにまた、本発明に係るインクジェット記録装置及び画像形成装置は、用紙を搬送する搬送ベルトに用紙を押し付ける押し付け部材と、搬送ベルトの裏面側に配置した電極部材とを設け、押し付け部材と電極部材間にバイアス電圧を印加し、流れる電流が一定になるように定電流制御する構成としたものである。ここで、電極部材は搬送ベルトを張装する２つのローラの内の上流側のローラで構成することができる。また、用紙搬送方向下流側にフィードバック電極を設け、電極部材に印加した電流とフィードバック電極及び押し付け部材に流れる電流との差分が一定になるように差分定電流制御することが好ましい。このフィードバック電極としては搬送ベルト裏面側に配置した印写受け部材で構成できる。さらに、搬送ベルトとしては体積抵抗１０８〜１０11Ωの中抵抗部材からなるベルトを用いることが好ましい。
【手続補正９】
【補正対象書類名】明細書
【補正対象項目名】００１２
【補正方法】変更
【補正の内容】
【００１２】
さらにまた、本発明に係るインクジェット記録装置及び画像形成装置は、用紙を搬送する搬送ベルト裏面側に印写受け部材を配置し、この印写受け部材を接地した構成としたものである。ここで、搬送ベルトとしては体積抵抗１０８〜１０11Ωの中抵抗部材からなるベルトを用いることが好ましい。
【手続補正１０】
【補正対象書類名】明細書
【補正対象項目名】００１３
【補正方法】変更
【補正の内容】
【００１３】
また、本発明に係るインクジェット記録装置及び画像形成装置は、用紙を搬送する搬送ベルトの平面起点部付近に、用紙を搬送ベルト側に押し付ける押さえ部材を設けた構成としたものである。ここで、押さえ部材はローラにすることができる。また、押さえ部材が搬送ベルトを帯電させる帯電手段を兼ねている構成とすることができる。さらに、搬送ベルトの平面起点部と記録ヘッドの用紙搬送方向最上流側ノズルとの間隔が１０ｍｍ以上ある構成とすることが好ましい。
【手続補正１１】
【補正対象書類名】明細書
【補正対象項目名】００１４
【補正方法】変更
【補正の内容】
【００１４】
【発明の実施の形態】
以下、本発明の実施の形態を添付図面を参照して説明する。図１は本発明の第１実施形態に係る画像形成装置としてのインクジェット記録装置の一例を示す機構部の概略構成図、図２は図１の記録装置の搬送ベルトの要部拡大説明図、図３は同搬送ベルトによる静電吸着作用を説明する説明図である。
【手続補正１２】
【補正対象書類名】明細書
【補正対象項目名】００６４
【補正方法】変更
【補正の内容】
【００６４】
【発明の効果】
以上説明したように、本発明に係るインクジェット記録装置及び画像形成装置によれば、搬送ベルトは導電性ベルトの表面側に絶縁体を点在させた構成としたので、導電性ベルトにバイアスを印加することによって、マイクロフィールドを発生させて用紙を静電吸着することが可能になり、印写中の用紙の波打ちを防止して用紙を安定して搬送することができ、また非印写領域（印写不可能領域）を小さくできる。
【手続補正１３】
【補正対象書類名】明細書
【補正対象項目名】００６５
【補正方法】変更
【補正の内容】
【００６５】
また、本発明に係るインクジェット記録装置及び画像形成装置によれば、搬送ベルトは絶縁体ベルトの表面側に導電体を点在させた構成としたので、絶縁性ベルトにバイアスを印加することによって、マイクロフィールドを発生させて用紙を静電吸着することが可能になり、印写中の用紙の波打ちを防止して用紙を安定して搬送することができ、また非印写領域（印写不可能領域）を小さくできる。
【手続補正１４】
【補正対象書類名】明細書
【補正対象項目名】００６７
【補正方法】変更
【補正の内容】
【００６７】
さらに、本発明に係るインクジェット記録装置及び画像形成装置によれば、搬送ベルトにバイアス電圧を印加し、かつ、用紙搬送方向下流側の電位を用紙搬送方向上流側より低くした構成としたので、用紙吸着性と分離性を向上することができ、簡単な構成で用紙を安定して搬送することができる。
【手続補正１５】
【補正対象書類名】明細書
【補正対象項目名】００７１
【補正方法】変更
【補正の内容】
【００７１】
さらにまた、本発明に係るインクジェット記録装置及び画像形成装置によれば、用紙を搬送する搬送ベルト裏面側に印写受け部材を配置し、この印写受け部材を接地したので、画像の乱れを防止することができる。この場合、搬送ベルトとしては体積抵抗１０８〜１０11の中抵抗部材からなるベルトを用いることで、チャージアップを防止でき搬送性を確保できる。
【手続補正１６】
【補正対象書類名】明細書
【補正対象項目名】００７２
【補正方法】変更
【補正の内容】
【００７２】
また、本発明に係るインクジェット記録装置及び画像形成装置によれば、用紙を搬送する搬送ベルトの平面起点部付近に、用紙を搬送ベルト側に押し付ける押さえ部材を設けたので、用紙が搬送ベルトに倣って搬送されて上下方向のばたつきが抑制され、用紙搬送の安定化を図ることができ、画像品質が向上する。